(57)【要約】【課題】  省エネ性能を従来より向上することができる画像形成装置を提供する。【解決手段】  通常状態と、通常状態よりエネルギーの消費が少ないＳｔａｎｄｂｙ状態との少なくとも２つの状態を有しているＭＦＰ２０のメイン制御部３１は、ＭＦＰ２０を通常状態からＳｔａｎｄｂｙ状態に移行させる所定の条件が生じた場合、ＭＦＰ２０の状態が移行可能状態ではないときにエンジン制御部４１にＳｔａｎｄｂｙ状態移行通知を送信せず、ＭＦＰ２０の状態が移行可能状態であるときにエンジン制御部４１にＳｔａｎｄｂｙ状態移行通知を送信し、エンジン制御部４１は、ＭＦＰ２０を通常状態からＳｔａｎｄｂｙ状態に移行させる場合にエンジン制御部４１自身への電力の供給を停止せずにメイン制御部３１への電力の供給を停止することを特徴とする。【選択図】  図２
2013115572.tif 000002
【特許請求の範囲】
【請求項１】
通常状態と、前記通常状態よりエネルギーの消費が少ない省エネ状態との少なくとも２つの状態を有している画像形成装置であって、
前記画像形成装置の電力の供給を制御する電力供給制御部と、前記電力供給制御部に前記画像形成装置を前記通常状態から前記省エネ状態に移行させるための通知である省エネ状態移行通知を前記電力供給制御部に送信する移行通知送信部とを備えており、
前記移行通知送信部は、前記画像形成装置を前記通常状態から前記省エネ状態に移行させる所定の条件が生じた場合、前記画像形成装置の状態が前記通常状態から前記省エネ状態に移行することが可能である状態である移行可能状態ではないときに前記電力供給制御部に前記省エネ状態移行通知を送信せず、前記画像形成装置の状態が前記移行可能状態であるときに前記電力供給制御部に前記省エネ状態移行通知を送信し、
前記電力供給制御部は、前記画像形成装置を前記通常状態から前記省エネ状態に移行させる場合に前記電力供給制御部自身への電力の供給を停止せずに前記移行通知送信部への電力の供給を停止することを特徴とする画像形成装置。
【請求項２】
前記移行通知送信部は、前記画像形成装置全体を制御するハードウェアであることを特徴とする請求項１に記載の画像形成装置。
【発明の詳細な説明】
【技術分野】
【０００１】
本発明は、通常状態よりエネルギーの消費が少ない省エネ状態に移行することができる画像形成装置に関する。
【背景技術】
【０００２】
従来、通常状態よりエネルギーの消費が少ない省エネ状態に移行することができる画像形成装置として、ＡＤＦと、画像読取部と、画像処理部と、画像形成部と、給紙部と、後処理部と、通信部と、ファクシミリ部と、全体を制御するＣＰＵとを備えているＭＦＰが知られている（例えば、特許文献１参照。）。このＭＦＰのＣＰＵは、通常状態である時に外部のＰＣから遠隔操作によって電源を制御するための指示を受け付けた場合、実行するためのジョブが存在するときにＡＤＦ、画像読取部、画像処理部、画像形成部、給紙部、後処理部などへの電力の供給を停止せず、実行するためのジョブの全てを実行したときに通信部、ファクシミリ部およびＣＰＵ自身を除いたＭＦＰ全体の電力の供給を停止して省エネ状態に移行する。
【先行技術文献】
【特許文献】
【０００３】
【特許文献１】特開２００７−３２００５１号公報
【発明の概要】
【発明が解決しようとする課題】
【０００４】
しかしながら、従来のＭＦＰにおいては、ＭＦＰ全体を制御することができる消費電力が大きいＣＰＵに、通常状態である時だけでなく省エネ状態である時にも電力が供給されるので、省エネ性能が十分ではないという問題がある。
【０００５】
そこで、本発明は、省エネ性能を従来より向上することができる画像形成装置を提供することを目的とする。
【課題を解決するための手段】
【０００６】
本発明の画像形成装置は、通常状態と、前記通常状態よりエネルギーの消費が少ない省エネ状態との少なくとも２つの状態を有している画像形成装置であって、前記画像形成装置の電力の供給を制御する電力供給制御部と、前記電力供給制御部に前記画像形成装置を前記通常状態から前記省エネ状態に移行させるための通知である省エネ状態移行通知を前記電力供給制御部に送信する移行通知送信部とを備えており、前記移行通知送信部は、前記画像形成装置を前記通常状態から前記省エネ状態に移行させる所定の条件が生じた場合、前記画像形成装置の状態が前記通常状態から前記省エネ状態に移行することが可能である状態である移行可能状態ではないときに前記電力供給制御部に前記省エネ状態移行通知を送信せず、前記画像形成装置の状態が前記移行可能状態であるときに前記電力供給制御部に前記省エネ状態移行通知を送信し、前記電力供給制御部は、前記画像形成装置を前記通常状態から前記省エネ状態に移行させる場合に前記電力供給制御部自身への電力の供給を停止せずに前記移行通知送信部への電力の供給を停止することを特徴とする。
【０００７】
この構成により、本発明の画像形成装置の移行通知送信部は、画像形成装置の状態が移行可能状態であるか否かを判断するので、処理能力が高い必要がある。処理能力が高いということは、消費電力が大きいということである。したがって、本発明の画像形成装置は、消費電力が大きい移行通知送信部への電力の供給を、画像形成装置が省エネ状態である時に停止するので、省エネ性能を従来より向上することができる。
【０００８】
また、本発明の画像形成装置の前記移行通知送信部は、前記画像形成装置全体を制御するハードウェアであっても良い。
【０００９】
この構成の場合、本発明の画像形成装置は、移行通知送信部が画像形成装置全体を制御するハードウェアではない構成と比較して、移行通知送信部の処理能力が高い。すなわち、本発明の画像形成装置は、移行通知送信部が画像形成装置全体を制御するハードウェアではない構成と比較して、移行通知送信部の消費電力が大きい。したがって、本発明の画像形成装置は、省エネ状態である時に移行通知送信部への電力の供給を停止する意義が大きい。
【発明の効果】
【００１０】
本発明の画像形成装置は、省エネ性能を従来より向上することができる。
【図面の簡単な説明】
【００１１】
【図１】本発明の一実施の形態に係るネットワークシステムのブロック図である。
【図２】図１に示すＭＦＰのブロック図である。
【図３】ＭＦＰが通常状態からＳｔａｎｄｂｙ状態に移行する場合の図２に示すメイン制御部の動作のフローチャートである。
【図４】ＭＦＰが通常状態からＳｔａｎｄｂｙ状態に移行する場合の図２に示すエンジン制御部の動作のフローチャートである。
【図５】Ｓｔａｎｄｂｙ状態である場合の図２に示すＭＦＰのブロック図である。
【図６】ＭＦＰがＳｔａｎｄｂｙ状態から通常状態に移行する場合の図２に示すエンジン制御部の動作のフローチャートである。
【発明を実施するための形態】
【００１２】
以下、本発明の一実施の形態について、図面を用いて説明する。
【００１３】
まず、本実施の形態に係るネットワークシステムの構成について説明する。
【００１４】
図１は、本実施の形態に係るネットワークシステム１０のブロック図である。
【００１５】
図１に示すように、ネットワークシステム１０は、画像形成装置であるＭＦＰ（Ｍｕｌｔｉｆｕｎｃｔｉｏｎ  Ｐｅｒｉｐｈｅｒａｌ）２０と、ＭＦＰ２０の外部の装置であるＰＣ(Ｐｅｒｓｏｎａｌ  Ｃｏｍｐｕｔｅｒ)８０とを備えている。ＭＦＰ２０およびＰＣ８０は、ＬＡＮ（Ｌｏｃａｌ  Ａｒｅａ  Ｎｅｔｗｏｒｋ）、インターネットなどのネットワーク１１を介して互いに通信可能に接続されている。
【００１６】
ＭＦＰ２０は、通常状態と、通常状態よりエネルギーの消費が少ない省エネ状態であるＳｔａｎｄｂｙ状態と、後述の主電源スイッチ２１が切断された電源ＯＦＦ状態との３つの状態を有している。
【００１７】
ＰＣ８０の構成は、一般的なＰＣの構成であるので、詳細な説明を省略する。
【００１８】
図２は、ＭＦＰ２０のブロック図である。
【００１９】
図２に示すように、ＭＦＰ２０は、外部の電源９０から電力が供給される主電源スイッチ２１と、用紙などの記録媒体に印刷を実行する印刷デバイスであるプリンター２２と、原稿から画像を読み取る読取デバイスであるスキャナー２３と、ＭＦＰ２０を通常状態からＳｔａｎｄｂｙ状態に移行させるためのボタンであるＳｔａｎｄｂｙボタン２４と、プリンター２２のうち記録媒体を供給するカセットの開閉を検知する開閉センサーとしてのカセットセンサー２５と、プリンター２２のうちプリンター２２の内部構造を覆うカバーの開閉を検知する開閉センサーとしてのカバーセンサー２６と、ＭＦＰ２０全体を制御するハードウェアであるメイン制御部３１が搭載されているメイン基板３０と、プリンター２２を制御するハードウェアであるエンジン制御部４１が搭載されているエンジン基板４０と、ＭＦＰ２０の操作パネルを制御するハードウェアであるパネル制御部５１が搭載されているパネル基板５０とを備えている。
【００２０】
主電源スイッチ２１は、電源９０から後述のエンジン制御部４１、メインスイッチ４２、パネルスイッチ４３、ＬＥＤ５３およびボタン５４への電力の供給状態を切り替えるスイッチである。
【００２１】
メイン基板３０は、上述のメイン制御部３１と、メイン制御部３１の機能を補助するハードウェアであるサブ制御部３２と、図示していない外部のファクシミリ装置と公衆電話回線などの通信回線経由でファックス通信を行うファックスデバイスであるファックス通信部３３と、ネットワーク１１経由で外部の装置と通信を行うネットワーク通信デバイスであるネットワーク通信部３４とを備えている。
【００２２】
メイン制御部３１は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭに記憶されているプログラムを実行するようになっている。
【００２３】
メイン制御部３１は、エンジン制御部４１にＭＦＰ２０を通常状態からＳｔａｎｄｂｙ状態に移行させるための通知である省エネ状態移行通知としてのＳｔａｎｄｂｙ状態移行通知をエンジン制御部４１に送信するようになっており、本発明の移行通知送信部を構成している。
【００２４】
サブ制御部３２は、例えば、ＣＰＵと、プログラムおよび各種のデータを予め記憶しているＲＯＭと、ＣＰＵの作業領域として用いられるＲＡＭとを備えている。ＣＰＵは、ＲＯＭに記憶されているプログラムを実行するようになっている。
【００２５】
エンジン基板４０は、上述のエンジン制御部４１と、主電源スイッチ２１からメイン基板３０のメイン制御部３１、サブ制御部３２、ファックス通信部３３およびネットワーク通信部３４への電力の供給状態を切り替えるスイッチであるメインスイッチ４２と、主電源スイッチ２１からパネル基板５０のパネル制御部５１および後述のＬＣＤ（Ｌｉｑｕｉｄ  Ｃｒｙｓｔａｌ  Ｄｉｓｐｌａｙ）５２への電力の供給状態を切り替えるスイッチであるパネルスイッチ４３とを備えている。
【００２６】
エンジン制御部４１は、例えば、ＣＰＵと、プログラムおよび各種のデータを予め記憶しているＲＯＭと、ＣＰＵの作業領域として用いられるＲＡＭとを備えている。ＣＰＵは、ＲＯＭに記憶されているプログラムを実行するようになっている。
【００２７】
エンジン制御部４１は、ＭＦＰ２０の電力の供給を制御するようになっており、本発明の電力供給制御部を構成している。
【００２８】
パネル基板５０は、上述のパネル制御部５１と、種々の情報を表示する表示デバイスであるＬＣＤ５２およびＬＥＤ（Ｌｉｇｈｔ  Ｅｍｉｔｔｉｎｇ  Ｄｉｏｄｅ）５３と、利用者による種々の操作が入力される入力デバイスであるボタン５４とを備えている。
【００２９】
パネル制御部５１は、例えば、ＣＰＵと、プログラムおよび各種のデータを予め記憶しているＲＯＭと、ＣＰＵの作業領域として用いられるＲＡＭとを備えている。ＣＰＵは、ＲＯＭに記憶されているプログラムを実行するようになっている。
【００３０】
ＬＣＤ５２、ＬＥＤ５３およびボタン５４は、ＭＦＰ２０の操作パネルを構成している。
【００３１】
図２において、各構成を繋ぐ実線は、信号を伝達するための信号線を示している。
【００３２】
具体的には、メイン制御部３１は、サブ制御部３２、エンジン制御部４１およびパネル制御部５１と信号線で接続されている。サブ制御部３２は、メイン制御部３１の他、ファックス通信部３３、ネットワーク通信部３４、エンジン制御部４１およびボタン５４と信号線で接続されている。エンジン制御部４１は、メイン制御部３１およびサブ制御部３２の他、プリンター２２、スキャナー２３、Ｓｔａｎｄｂｙボタン２４、カセットセンサー２５、カバーセンサー２６、メインスイッチ４２、パネルスイッチ４３、ＬＥＤ５３およびボタン５４と信号線で接続されている。パネル制御部５１は、メイン制御部３１の他、ＬＣＤ５２、ＬＥＤ５３およびボタン５４と信号線で接続されている。
【００３３】
図２において、各構成を繋ぐ破線は、電力を供給するための電力線を示している。
【００３４】
具体的には、主電源スイッチ２１は、エンジン制御部４１、メインスイッチ４２、パネルスイッチ４３、ＬＥＤ５３、ボタン５４および電源９０と電力線で接続されている。メインスイッチ４２は、主電源スイッチ２１の他、メイン制御部３１、サブ制御部３２、ファックス通信部３３およびネットワーク通信部３４と電力線で接続されている。パネルスイッチ４３は、主電源スイッチ２１の他、パネル制御部５１およびＬＣＤ５２と電力線で接続されている。
【００３５】
次に、ＭＦＰ２０の動作について説明する。
【００３６】
＜通常状態の動作＞
ＭＦＰ２０が通常状態である場合、メイン制御部３１は、サブ制御部３２、エンジン制御部４１およびパネル制御部５１と連携して、例えば、プリンター２２による印刷、スキャナー２３による画像の読み取り、ファックス通信部３３によるファックス通信およびネットワーク通信部３４による通信などの動作を実行する。
【００３７】
ここで、カセットセンサー２５は、例えば記録媒体の補充などのために、記録媒体を供給するカセットが開閉されると、エンジン制御部４１に信号を出力する。同様に、カバーセンサー２６は、例えばプリンター２２のメンテナンスなどのために、プリンター２２の内部構造を覆うカバーが開閉されると、エンジン制御部４１に信号を出力する。
【００３８】
エンジン制御部４１は、カセットセンサー２５またはカバーセンサー２６の出力信号を受信すると、カセットセンサー２５またはカバーセンサー２６の出力信号に基づいてプリンター２２の動作を停止させるなど、プリンター２２に所定の動作を実行させる。
【００３９】
＜通常状態からＳｔａｎｄｂｙ状態への移行＞
ＭＦＰ２０が通常状態からＳｔａｎｄｂｙ状態に移行する場合の動作について説明する。
【００４０】
図３は、ＭＦＰ２０が通常状態からＳｔａｎｄｂｙ状態に移行する場合のメイン制御部３１の動作のフローチャートである。
【００４１】
図３に示すように、メイン制御部３１は、ＭＦＰ２０が所定の動作を実行していない連続した時間（以下「無動作連続時間」という。）が所定の時間に到達したか否かを判断する（Ｓ１０１）。
【００４２】
ここで、無動作連続時間は、メイン制御部３１によって計測される。メイン制御部３１は、無動作連続時間の計測中にＭＦＰ２０が所定の動作を実行すると、計測中の無動作連続時間をゼロに設定し、所定の動作の実行が終了すると、再び無動作連続時間の計測を開始する。
【００４３】
メイン制御部３１は、無動作連続時間が所定の時間に到達していないとＳ１０１において判断すると、Ｓｔａｎｄｂｙボタン２４が押されたか否かを判断する（Ｓ１０２）。
【００４４】
ここで、ＭＦＰ２０の利用者は、ＭＦＰ２０が通常状態である場合にＳｔａｎｄｂｙボタン２４を押すことによって、ＭＦＰ２０を通常状態からＳｔａｎｄｂｙ状態に移行させることをＭＦＰ２０に指示することができる。Ｓｔａｎｄｂｙボタン２４が押されると、エンジン制御部４１は、Ｓｔａｎｄｂｙボタン２４が押されたことをメイン制御部３１に通知する。したがって、メイン制御部３１は、Ｓｔａｎｄｂｙボタン２４が押されたことを判断することができる。
【００４５】
メイン制御部３１は、Ｓｔａｎｄｂｙボタン２４が押されていないとＳ１０２において判断すると、ＭＦＰ２０を通常状態からＳｔａｎｄｂｙ状態に移行させる命令であるＳｔａｎｄｂｙ状態移行命令をＭＦＰ２０の外部の装置から受信したか否かを判断する（Ｓ１０３）。
【００４６】
ここで、ＭＦＰ２０の利用者は、ＰＣ８０を操作することによって、Ｓｔａｎｄｂｙ状態移行命令をネットワーク１１経由でＭＦＰ２０に送信することをＰＣ８０に指示することができる。ＰＣ８０は、この指示を受けて、Ｓｔａｎｄｂｙ状態移行命令をネットワーク１１経由でＭＦＰ２０に送信する。Ｓｔａｎｄｂｙ状態移行命令がＭＦＰ２０に送信されると、サブ制御部３２は、ＰＣ８０から送信されてきたＳｔａｎｄｂｙ状態移行命令をネットワーク通信部３４を介して受信し、Ｓｔａｎｄｂｙ状態移行命令をＭＦＰ２０の外部の装置から受信したことをメイン制御部３１に通知する。したがって、メイン制御部３１は、Ｓｔａｎｄｂｙ状態移行命令をＭＦＰ２０の外部の装置から受信したことを判断することができる。
【００４７】
メイン制御部３１は、Ｓｔａｎｄｂｙ状態移行命令をＭＦＰ２０の外部の装置から受信していないとＳ１０３において判断すると、再びＳ１０１の処理に戻る。
【００４８】
メイン制御部３１は、無動作連続時間が所定の時間に到達したとＳ１０１において判断するか、Ｓｔａｎｄｂｙボタン２４が押されたとＳ１０２において判断するか、Ｓｔａｎｄｂｙ状態移行命令をＭＦＰ２０の外部の装置から受信したとＳ１０３において判断すると、ＭＦＰ２０の状態が通常状態からＳｔａｎｄｂｙ状態に移行することが可能である状態（以下「移行可能状態」という。）であると判断するまで、ＭＦＰ２０の状態が移行可能状態であるか否かを判断する（Ｓ１０４）。
【００４９】
ここで、移行可能状態は、ＭＦＰ２０の設定次第である。例えば、移行可能状態は、プリンター２２による印刷、スキャナー２３による画像の読み取り、ファックス通信部３３によるファックス通信、ネットワーク通信部３４による通信およびボタン５４による操作の入力の何れもが実行中ではない状態とされることが可能である。
【００５０】
メイン制御部３１は、ＭＦＰ２０の状態が移行可能状態であるとＳ１０４において判断すると、エンジン制御部４１にＳｔａｎｄｂｙ状態移行通知を送信して（Ｓ１０５）、図３に示す処理を終了する。
【００５１】
すなわち、図３に示す処理において、メイン制御部３１は、ＭＦＰ２０を通常状態からＳｔａｎｄｂｙ状態に移行させる所定の条件が生じた場合（Ｓ１０１でＹＥＳ、Ｓ１０２でＹＥＳ、または、Ｓ１０３でＹＥＳ）、ＭＦＰ２０の状態が移行可能状態ではないとき（Ｓ１０４でＮＯ）にエンジン制御部４１にＳｔａｎｄｂｙ状態移行通知を送信せず、ＭＦＰ２０の状態が移行可能状態であるとき（Ｓ１０４でＹＥＳ）にエンジン制御部４１にＳｔａｎｄｂｙ状態移行通知を送信する（Ｓ１０５）。
【００５２】
エンジン制御部４１は、メイン制御部３１からＳｔａｎｄｂｙ状態移行通知を受信すると、図４に示す処理を実行する。
【００５３】
図４は、ＭＦＰ２０が通常状態からＳｔａｎｄｂｙ状態に移行する場合のエンジン制御部４１の動作のフローチャートである。
【００５４】
図４に示すように、エンジン制御部４１は、エンジン制御部４１自身が制御するプリンター２２およびスキャナー２３への電力の供給を停止する（Ｓ１２１）。
【００５５】
次いで、エンジン制御部４１は、パネルスイッチ４３の状態を変更することによって、パネル基板５０上のパネル制御部５１およびＬＣＤ５２への電力の供給を停止する（Ｓ１２２）。
【００５６】
次いで、エンジン制御部４１は、メインスイッチ４２の状態を変更することによって、メイン基板３０上のメイン制御部３１、サブ制御部３２、ファックス通信部３３およびネットワーク通信部３４への電力の供給を停止して（Ｓ１２３）、図４に示す処理を終了する。
【００５７】
なお、図４に示す処理において、エンジン制御部４１は、エンジン制御部４１自身への電力の供給を停止しない。
【００５８】
図４に示す処理が終了すると、ＭＦＰ２０は、図５に示すようにＳｔａｎｄｂｙ状態になる。
【００５９】
図５は、Ｓｔａｎｄｂｙ状態である場合のＭＦＰ２０のブロック図である。
【００６０】
図５において、ハッチングで示す構成には、電力が供給されていない。すなわち、ＭＦＰ２０は、Ｓｔａｎｄｂｙ状態である場合、プリンター２２およびスキャナー２３と、メイン基板３０上のメイン制御部３１、サブ制御部３２、ファックス通信部３３およびネットワーク通信部３４と、パネル基板５０上のパネル制御部５１およびＬＣＤ５２とに電力が供給されていない。
【００６１】
なお、ＭＦＰ２０の利用者は、Ｓｔａｎｄｂｙ状態であっても電力が供給されているＬＥＤ５３の発光によって、ＭＦＰ２０が電源ＯＦＦ状態ではなくＳｔａｎｄｂｙ状態であることを認識することができる。
【００６２】
＜Ｓｔａｎｄｂｙ状態から通常状態への復帰＞
ＭＦＰ２０がＳｔａｎｄｂｙ状態から通常状態に復帰する場合の動作について説明する。
【００６３】
なお、カセットセンサー２５は、例えば記録媒体の補充などのために、記録媒体を供給するカセットが開閉されると、エンジン制御部４１に信号を出力する。同様に、カバーセンサー２６は、例えばプリンター２２のメンテナンスなどのために、プリンター２２の内部構造を覆うカバーが開閉されると、エンジン制御部４１に信号を出力する。
【００６４】
ＭＦＰ２０が図５に示すＳｔａｎｄｂｙ状態である場合、エンジン制御部４１は、Ｓｔａｎｄｂｙボタン２４またはボタン５４の何れかが押されるか、カセットセンサー２５またはカバーセンサー２６の出力信号を受信すると、図６に示す処理を開始する。
【００６５】
図６は、ＭＦＰ２０がＳｔａｎｄｂｙ状態から通常状態に復帰する場合のエンジン制御部４１の動作のフローチャートである。
【００６６】
図６に示すように、エンジン制御部４１は、メインスイッチ４２の状態を変更することによって、メイン基板３０上のメイン制御部３１、サブ制御部３２、ファックス通信部３３およびネットワーク通信部３４への電力の供給を開始する（Ｓ１４１）。ここで、メイン制御部３１およびサブ制御部３２は、電力の供給が開始されると、それぞれ起動のための所定の動作を開始する。
【００６７】
次いで、エンジン制御部４１は、パネルスイッチ４３の状態を変更することによって、パネル基板５０上のパネル制御部５１およびＬＣＤ５２への電力の供給を開始する（Ｓ１４２）。ここで、パネル制御部５１は、電力の供給が開始されると、起動のための所定の動作を開始する。
【００６８】
次いで、エンジン制御部４１は、エンジン制御部４１自身が制御するプリンター２２およびスキャナー２３への電力の供給を開始して（Ｓ１４３）、図６に示す処理を終了する。
【００６９】
以上に説明したように、メイン制御部３１は、ＭＦＰ２０の状態が移行可能状態であるか否かを判断するので、処理能力が高い必要がある。処理能力が高いということは、消費電力が大きいということである。したがって、ＭＦＰ２０は、消費電力が大きいメイン制御部３１への電力の供給を、ＭＦＰ２０がＳｔａｎｄｂｙ状態である時に停止するので、省エネ性能を従来より向上することができる。
【００７０】
また、ＭＦＰ２０は、ＭＦＰ２０の状態が移行可能状態であるか否かを判断する移行通知送信部がＭＦＰ２０全体を制御するハードウェア、すなわち、メイン制御部３１であるので、移行通知送信部がメイン制御部３１ではない構成と比較して、移行通知送信部の処理能力が高い。すなわち、ＭＦＰ２０は、移行通知送信部がメイン制御部３１ではない構成と比較して、移行通知送信部の消費電力が大きい。したがって、ＭＦＰ２０は、Ｓｔａｎｄｂｙ状態である時に移行通知送信部への電力の供給を停止する意義が大きい。
【００７１】
なお、ＭＦＰ２０は、メイン制御部３１によって無動作連続時間を計測するようになっているが、例えばサブ制御部３２など、メイン制御部３１以外の構成によって無動作連続時間を計測するようになっていても良い。
【００７２】
ＭＦＰ２０は、メイン基板３０上にメイン制御部３１およびサブ制御部３２を備えているが、メイン制御部３１およびサブ制御部３２を統合した１つの制御部のみを備えていても良い。
【００７３】
以上においては、通常状態からＳｔａｎｄｂｙ状態への移行について説明しているが、ＭＦＰ２０は、ＭＦＰ２０を通常状態から電源ＯＦＦ状態に移行させる命令である電源ＯＦＦ状態移行命令をＭＦＰ２０の外部の装置から受信した場合に、通常状態から電源ＯＦＦ状態に移行するようになっていても良い。ＭＦＰ２０は、電源ＯＦＦ状態移行命令を受信した場合に通常状態から電源ＯＦＦ状態に移行するようになっているとき、図３に示す動作と同様に、ＭＦＰ２０の状態が通常状態から電源ＯＦＦ状態に移行することが可能である状態であると判断するまで、待機するようになっていても良い。
【００７４】
ネットワークシステム１０は、ＭＦＰ２０の外部の装置としてＰＣ８０を備えているが、ＭＦＰ２０の外部の装置としてＰＣ以外の装置を備えていても良い。
【００７５】
本発明の画像形成装置は、本実施の形態においてＭＦＰであるが、プリンター専用機、ファックス専用機、コピー専用機など、ＭＦＰ以外の画像形成装置であっても良い。
【符号の説明】
【００７６】
２０  ＭＦＰ（画像形成装置）
３１  メイン制御部（移行通知送信部）
４１  エンジン制御部（電力供給制御部）
【図１】
2013115572.tif 000003
【図２】
2013115572.tif 000004
【図３】
2013115572.tif 000005
【図４】
2013115572.tif 000006
【図５】
2013115572.tif 000007
【図６】
2013115572.tif 000008